(57)【要約】      （修正有）【課題】グラウンド・ゴルフ等の競技において、選手の移動をスムーズに進行させるため、競技が終わったホールから次に競技を行うホールの所在方向を矢印で案内ができるポールポストに装着する方向案内指示装置を提供する。【解決手段】ホールポストに付随する方向案内表示装置であり、ホールポストに取り付ける部位１を円筒形とし、その円筒部分に固着されている矢印構造５が次に競技が行われるホールポストを指して蝶ネジ４でコースの設営者が固着する。矢印構造を競技する選手全員が目視でき、次に行うホールポストの所在方向の把握が容易となって競技全体の進行時間のロスが解消される。【選択図】図５
0003215440.tif 000002
【実用新案登録請求の範囲】
【請求項１】
グラウンド・ゴルフ等の競技におけるホールポストに装備し金属または合成樹脂で構成し競技の進行方向を矢印で案内表示する方向案内表示装置。
【請求項２】
グラウンド・ゴルフ等の競技におけるホールポストに競技の進行方向を矢印で案内表示する方向案内表示装置を付加したホールポスト。
【考案の詳細な説明】
【技術分野】
【０００１】  本考案は、グラウンド・ゴルフおよびパーク・ゴルフ（以下グラウンド・ゴルフ等）の競技において、競技を行っている選手の移動をスムーズに進行させるため、競技が終わったホールから次に競技を行うホールの所在方向を矢印で案内ができるポールポストに装着する方向案内指示装置に関する。
【考案の開示】
【考案が解決しようとする課題】
【０００２】    改めてグラウンド・ゴルフ等の競技におけるホールポストの設営を説明すると、それぞれのホールは順を追って番号を付して、距離とグラウンド状況を踏まえて１番ホールから８番ホールまで競技の開催に際して設計し設営される。【０００３】  これらの競技中は、１番ホール〜８番ホールまでゲームをしながら移動するが、グラウンド・ゴルフ等は、高齢者の軽い運動として競技をする場合が多く、コースの新規性からコースの把握が出来ず競技の進行と移動速度が緩慢になるものである。【０００４】  とくに、グラウンド・ゴルフ等の競技に際してその度にホールポストの設営を設計し開催されるので、しばしば次に競技するホールの位置が分からず躊躇することがある。【０００５】  いずれも、競技人口には高齢者が多く妥当な競技時間の制限が無く、単にスムーズな競技の進行が奨励されるものであるが、むやみに競技時間を浪費することは望ましくない。【０００６】  なかでも、グラウンド・ゴルフ等の競技チームを組織する人員は５・６人であり、どのチームも競技の進行速度が一律でなく、競技コースの設定とチームを編成している選手の技量にもよるが、一つのホールポストで競技が終わって、次のホールポストで競技を行うために移動する際に、うろうろして相当に競技時間のロスが多いものである。
【課題を解決するための手段】
【０００７】  本考案によるグラウンド・ゴルフ等のホールポストに付随する方向案内表示装置を、競技にあたって競技チームの移動にかかるロス時間の解消に役立てることが、競技の進行時間の合理的な短縮に役立ち、健全な競技の進行に役立つものと考える。【０００８】  従って、本考案によるホールポストに備えた方向案内表示装置によって、競技の進捗状況を改善するため、各ホールポストの構造に矢印表示ができる方向案内表示装置を付加することとする。【０００９】  すなはち、本考案の、課題を解決するための矢印構造は、そのホールポストにおける競技が終了し、次のホールポストに移動する際にその所在の方向を明示することが出来ることとなる。【００１０】  従って、本考案による方向案内表示装置に付加する矢印表示は、一つの競技が終わって次のホールポストの所在方向の案内表示ができ、選手が矢印を目視することによって躊躇なく次のホールポストに移動することができるので、競技チームの移動時間のロスを少なくすることが可能となり課題を解決する手段となる。【００１１】  この本考案による方向案内表示装置に付随する矢印構造は、すべてのホールポストに付加できる構造とし、競技コースのホールポストの設営にあたって矢印方向を設定する。
【考案の効果】
【００１２】  本考案によるグラウンド・ゴルフ等のホールポストの方向案内表示装置は、一つのホールポストから次に競技するホールポストに移動する経路と方向が矢印で明示できるので、選手各人が矢印を目視することで次のホールポストの位置方向が適切に案内表示され、チームの移動が戸惑うことなくスムーズに行われ全体の競技の進行速度が改善される。
【考案を実施するための最良の状態】
【００１３】  本考案のホールポストに付随する方向案内表示装置は、ホールポストに取り付ける部位を円筒形とし、その円筒部分に固着されている矢印構造が次に競技が行われるホールポストを指して蝶ネジでコースの設営者が固着することとする。
【００１４】  この方向案内表示装置の円筒部位はパイプ状に貫通されており、その円筒部位にホールポストの旗立てパイプ下方に挿入し、競技にあたって矢印構造は次に競技するホールポストの所在方向を見定めて蝶ネジで旗立てのパイプに蝶ネジで固定して使用する。
【００１５】  また、本考案の方向案内表示装置は、既製のホールポストにも簡単に装備できるので、いずれの場合もグラウンド・ゴルフ等の競技場ですべてのホールポストに使用できる。
【００１６】  従って、本考案の方向案内表示装置は、新規販売のホールポストと既存のホールポストに関わらず汎用的に使用することが出来るものである。
【実施例】
【００１７】  以下、本考案による実施例を図面に基づいて説明する。【００１８】  本考案のホールポストＡに装備する方向案内表示装置１は金属または合成樹脂で製作する。【００１９】  本考案の方向案内表示装置１の形態は概略は図１の如きものであり、ホールポストＡに装着できる円筒型の部位２と、ホールポストＡの旗立てパイプ３に固着する働きをする蝶ネジ４および矢印構造５で形成する。【００２０】  図２はグラウンド・ゴルフ等に用いられているホールポストＡの見取図であり、主として金属を用いて形成されており、本考案の方向案内表示装置１はホールポストＡの旗立てパイプ３の下方ａの位置に蝶ネジ４を締めて固着する。【００２１】  本考案の方向案内表示装置１の円筒形の部位２は、あらかじめホールポストＡの旗立てパイプ３を貫通させて用い、方向指示装置１全体は旗立てパイプ３の下方ａを軸にしてフリーに回すことが出来る形態となる。【００２２】  従って、本考案のホールポストＡに装備する方向案内表示装置１は任意に回転させて、蝶ネジ４を締めて固定する際は矢印構造５の指す方向を次に競技するホールポストの存在する方向を見定めて行うことができる。
【産業上の利用可能性】
【００２３】  近年、グラウンド・ゴルフ等の競技は、高齢者等の健全な競技として各地で盛んに行われており、いずれも競技の開催に際しては前述の如き改善すべき問題がある。【００２４】  従って、本考案によるホールポストに装着する方向案内表示装置の必要性は十分ある。【００２５】  一方、本考案による方向案内表示装置の製造技術は平易なものであって、生産性にも優れており、産業上での利用可能性にも優れている。
【図面の簡単な説明】
【００２６】
【図１】グラウンド・ゴルフ等の競技に用いられるホールポストの見取図。
【図２】本考案の方向案内装置の形態を説明する見取図。
【図３】本考案の方向案内装置全体の正面図。
【図４】本考案の方向案内装置全体の側面図。
【図５】本考案の方向案内装置全体の平面図。
【符号の説明】
【００２７】      １．本考案の方向案内表示装置。
２．本考案の方向案内表示装置を旗立てパイプに保持させる円筒形の部位。
３．ホールポストの旗立てパイプ。
４．方向案内表示装置を旗立てパイプに固着するための蝶ネジ。
５．本考案の方向案内表示装置に同体となる矢印構造。
Ａ．本考案の方向案内表示装置を装着するホールポスト。
ａ．ホールポストの旗立てパイプの下方の部位。
【図１】
0003215440.tif 000003
【図２】
0003215440.tif 000004
【図３】
0003215440.tif 000005
【図４】
0003215440.tif 000006
【図５】
0003215440.tif 000007